(57)【要約】【課題】  箱本体の内部に緩衝空間及び仕切りを形成しつつ、より簡単かつ確実に容器の組み立てを行うことができる包装用箱及びその展開シートの提供。【解決手段】  天板１、背面板２、底板３、及び正面板４を一列に連結して備えた箱本体Ｘと、正面板の上端から当該箱本体の内側へ垂下する正面吊板、当該正面吊板の下端から背面板に至る下仕切、当該下仕切の先端から下方へ屈曲する背面吊板、当該背面吊板の先端から正面板に至る台板、当該台板の先端から上方へ屈曲する正面突っ張り板、当該正面突っ張り板の先端から背面板に至る上仕切、当該上仕切の先端から上方又は下方へ屈曲する背面突っ張り板を一列に連結して備えた支持台Ｙを、一列に連結してなる包装用箱及びその展開シート。【選択図】      図１
2014136581.tif 000002
【特許請求の範囲】
【請求項１】
一連の展開シートを組み立ててなり、上方へ開閉する蓋を具備する平面形状が略四角形の箱本体と、当該箱本体に内装され容器を保持する支持体を具備した包装用箱であって、
前記箱本体と支持体を連結して備え、
前記箱本体は、
前記天板、背面板、底板、及び正面板を一列に連結して備え、
前記支持体は、
前記箱本体の正面板の上端から当該箱本体の内側へ垂下する正面吊板と、
当該正面吊板の下端から背面板に至る下仕切と、
当該下仕切の先端から下方へ屈曲する背面吊板と、
当該背面吊板の先端から正面板に至る台板と、
当該台板の先端から上方へ屈曲する正面突っ張り板と、
当該正面突っ張り板の先端から背面板に至る上仕切と、
当該上仕切の先端から上方又は下方へ屈曲する背面突っ張り板を一列に連結して備え、
前記上仕切と下仕切は相互に対面する支持孔を備え
前記正面板及び背面板の深さが前記正面吊板と前記背面吊板の長さの和よりも深く、且つ
前記背面吊板の長さが前記正面突っ張り板及び背面突っ張り板の長さよりも長いことを特徴とする包装用箱。
【請求項２】
上方へ開閉する蓋を具備する平面形状が略四角形の箱本体と、当該箱本体に内装され容器を保持する支持体を具備した包装用箱に組み上がる一連の展開シートであって、
前記箱本体となる部分と支持体となる部分を連結して備え、
前記箱本体となる部分は、
前記天板、背面板、底板、及び正面板を一列に連結して備え、
前記支持体となる部分は、
前記箱本体の正面板の上端から当該箱本体の内側へ垂下する正面吊板と、
当該正面吊板の下端から背面板に至る下仕切と、
当該下仕切の先端から下方へ屈曲する背面吊板と、
当該背面吊板の先端から正面板に至る台板と、
当該台板の先端から上方へ屈曲する正面突っ張り板と、
当該正面突っ張り板の先端から背面板に至る上仕切と、
当該上仕切の先端から上方又は下方へ屈曲する背面突っ張り板を一列に連結して備え、
前記上仕切と下仕切は相互に対面する支持孔を備え、
前記正面板及び背面板の深さが前記正面吊板と前記背面吊板の長さの和よりも深く、且つ
前記背面吊板の長さが前記正面突っ張り板及び背面突っ張り板の長さよりも長いことを特徴とする包装用箱の展開シート。
【請求項３】
前記正面吊板と正面板を折り重ねて接着すると共に、前記背面突っ張り板を背面吊板の内面に接着し、
前記正面突っ張り板と下仕切を折り重ね、当該下仕切と背面突っ張り板を挟んで前記台板と背面吊板を折り重ね、
前記背面突っ張り板と下仕切との境界、前記台板と正面突っ張り板との境界、前記背面吊板と上仕切との境界、及び前記正面吊板と上仕切との境界に、断続的な貫通又は非貫通の切込みを備えることを特徴とする前記請求項２に記載の包装用箱の展開シート。
【発明の詳細な説明】
【技術分野】
【０００１】
本発明は、例えば、アンプルやバイヤル瓶などの割れ物からなる容器を収容するにあたり、外力からの緩衝空間を底部に形成する包装用箱及びその展開シートに関する。
【背景技術】
【０００２】
従来、割れ物からなる容器を収容するにあたり、当該容器の破損の虞を軽減すべく、外力からの緩衝空間を底部に形成すると共に、容器の下部や胴部を支持する支持体を、箱本体（箱本体）に収納する手法が用いられていた（例えば下記特許文献１参照）。
なかには、前記箱本体と支持体を一連の展開シートとして組み立てる手法も紹介されている（例えば、下記特許文献２参照）。
【先行技術文献】
【特許文献】
【０００３】
【特許文献１】特開平１０−２９１５２２号公報
【特許文献２】特開２００３−２６７３５１号公報
【発明の概要】
【発明が解決しようとする課題】
【０００４】
しかしながら、上記箱本体と支持体を別体とする手法にあっては、箱本体と支持体双方の展開シートについて裁断及び組み立ての工程が必要である。
また、前記箱本体と支持体を一連の展開シートとして組み立てる手法にあっては、組立工程において山谷様々な折りが求められ、人為的に組み立てる場合にあっても、機械的に組み立てる場合にあっても、煩雑な作業が避けられず、生産量の伸び悩みや歩留まり低下の原因となるという問題がある。
【０００５】
本発明は、上記実情に鑑みてなされたものであって、箱本体の内部に緩衝空間及び仕切りを形成しつつ、より簡単かつ確実に容器の組み立てを行うことができる包装用箱及びその展開シートの提供を目的とする。
【課題を解決するための手段】
【０００６】
上記課題を解決すべく為された本発明による包装用箱は、一連の展開シートを組み立ててなり、上方へ開閉する蓋を具備する平面形状が略四角形の箱本体と、当該箱本体に内装され容器を保持する支持体を具備したラップアラウンド（wrap-around）型包装用箱であって、以下の点を特徴とする。
【０００７】
即ち、本発明による包装用箱は、前記箱本体と支持体を連結して備えた包装用箱であって、前記箱本体は、前記天板、背面板、底板、及び正面板を一列に連結して備え、前記支持体は、前記箱本体の正面板の上端から当該箱本体の内側へ垂下する正面吊板と、当該正面吊板の下端から背面板に至る上仕切と、当該上仕切の先端から下方へ屈曲する背面吊板と、当該背面吊板の先端から正面板に至る台板と、当該台板の先端から上方へ屈曲する正面突っ張り板と、当該正面突っ張り板の先端から背面板に至る下仕切と、当該下仕切の先端から上方又は下方へ屈曲する背面突っ張り板を一列に連結して備える。
【０００８】
また、前記上仕切と下仕切は相互に対面する支持孔を備え、前記正面板及び背面板の深さが前記正面吊板と前記背面吊板の長さの和よりも深く、且つ前記背面吊板の長さが前記正面突っ張り板及び背面突っ張り板の長さよりも長いことを特徴とする。
【０００９】
上記課題を解決すべく為された本発明による包装用箱の展開シートは、上方へ開閉する蓋を具備する平面形状が略四角形の箱本体と、当該箱本体に内装され容器を保持する支持体を具備したラップアラウンド（wrap-around）型包装用箱に組み上がる一連の展開シートであって、以下の点を特徴とする。
【００１０】
即ち、本発明による包装用箱の展開シートは、前記箱本体となる部分と支持体となる部分を連結して備えた展開シートであって、前記箱本体となる部分は、前記天板、背面板、底板、及び正面板を一列に連結して備え、前記支持体となる部分は、前記箱本体の正面板の上端から当該箱本体の内側へ垂下する正面吊板と、当該正面吊板の下端から背面板に至る上仕切と、当該上仕切の先端から下方へ屈曲する背面吊板と、当該背面吊板の先端から正面板に至る台板と、当該台板の先端から上方へ屈曲する正面突っ張り板と、当該正面突っ張り板の先端から背面板に至る下仕切と、当該下仕切の先端から上方又は下方へ屈曲する背面突っ張り板を一列に連結して備える。
【００１１】
また、前記上仕切と下仕切は相互に対面する支持孔を備え、前記正面板及び背面板の深さが前記正面吊板と前記背面吊板の長さの和よりも深く、且つ前記背面吊板の長さが前記正面突っ張り板及び背面突っ張り板の長さよりも長いことを特徴とする。
【００１２】
組み立ての際の便宜を図るべく、前記正面吊板と正面板を折り重ねて接着すると共に、前記背面突っ張り板を背面吊板の内面に接着し、前記正面突っ張り板と下仕切をその境界で折り重ね、当該下仕切と背面突っ張り板を挟んで前記台板と背面吊板をその境界で折り重ね、前記背面突っ張り板と下仕切との境界、前記台板と正面突っ張り板との境界、前記背面吊板と上仕切との境界、及び前記正面吊板と上仕切との境界に、断続的な貫通又は非貫通の切込みを備える構成を与えても良い（図５参照）。
【発明の効果】
【００１３】
本発明による包装用箱及びその展開シートによれば、箱本体の内部上下に仕切を有することによって、容器の支持が安定し、箱本体の底板から浮いた台板で容器の底が支持されることによって容器が衝撃から保護されるにも拘らず、箱本体と支持体とが一連の展開シートから組み立てられていることによって、組み立て後又は容器装填後における箱本体と支持体のずれが回避され、瓶同士が触れ合わず、緩衝機能が十分な、安定した支持機能を持つ包装用箱を高い歩留まりで提供することができる。
【００１４】
また、本発明による包装用箱の展開シートによれば、前記天板、背面板、底板、及び正面板を筒状に折り曲げる等により、前記箱本体を比較的容易に且つ手早く組み立てることができる。
【００１５】
その際、予め、前記正面吊板と正面板を折り重ねて接着すると共に、前記背面突っ張り板を背面吊板の内面に接着し、前記正面突っ張り板と下仕切をその境界で折り重ね、当該下仕切と背面突っ張り板を挟んで前記台板と背面吊板をその境界で折り重ねた状態に展開シートを折り畳んでおけば、前記箱本体を箱本体に組み上げる操作と同時に、前記支持体がポップアップ的に支持体に組み上がる構成となるなど、当該包装用箱の展開シートを製造する部門と、当該包装用箱に容器を装填する部門との役割分担を適宜調整することができ、且つ各部門における工程の軽減にも寄与することとなる。
【００１６】
更に、支持体を構成する各部の境界、少なくとも、前記背面突っ張り板と下仕切との境界、前記台板と正面突っ張り板との境界、前記背面吊板と上仕切との境界、及び前記正面吊板と上仕切との境界に、断続的な貫通又は非貫通の切込みを備える構成を採れば、前記支持の折り畳みの解除、即ち、ポップアップ的な当該支持の組み上がりが、速やかで、且つ歪みのないものとなる。
【図面の簡単な説明】
【００１７】
【図１】本発明による包装用箱の一例を示す、（Ａ）：開封前、（Ｂ）：開封時，（Ｃ）：再閉鎖時における斜視図である。
【図２】本発明による包装用箱の一例を示す、（Ａ）：背面図、（Ｂ）：平面図，（Ｃ）：正面図，（Ｄ）：右（左）側面図である。
【図３】本発明による包装用箱の展開シートの一例における下加工工程の一部を示す平面図及び側面図である。
【図４】本発明による包装用箱の展開シートの一例における下加工工程の一部を示す平面図及び側面図である。
【図５】本発明による包装用箱の展開シート（下加工有り）の一例を示す平面図及び側面図である。
【図６】本発明による包装用箱の組立工程の一例を示す平面図及び側面図である。
【図７】本発明による包装用箱の組立工程の一例を示す平面図及び側面図である。
【図８】本発明による包装用箱の側方閉鎖面の組立工程の一部を示す平面図及び側面図である。
【発明を実施するための形態】
【００１８】
以下、本発明による包装用箱の実施の形態を、その展開シートの実施の形態と共に、詳細に説明する。
ここで示す例は、ガラス製の容器（バイヤル瓶等）を包装する包装用箱、及び展開シートの例である。
図１に示す包装用箱はその一例であって、上方へ開閉する蓋を具備する平面形状が略四角形の直方体状を呈する箱本体Ｘと、当該箱本体Ｘに内装され容器Ｚを保持する支持体Ｙを連結して備えるものである。
【００１９】
＜箱本体＞
前記箱本体Ｘは、各々が略同じ幅を持つ天板１、背面板２、底板３、及び正面板４を一列に連結して備える（図２参照）。
【００２０】
前記蓋は、箱本体Ｘの開口部の全体を覆う天板１と、当該天板１の先端から延出し、直角に屈曲して正面板４の表面に定着する封止板５と、前記天板１の左右側方に各々連なり、前記箱本体Ｘの側面を覆う側板６からなる（図２参照）。
【００２１】
前記封止板５は、方形状を呈し、その先端中央部に設けた引き出しリップ７の左右両端から当該封止板５の上縁へＶ字状で対照的に刻まれたミシン目ａを境として、中央部の開閉部５ａと、左右先端部に設定した二つの定着部５ｂに分かれる（１（Ｂ）参照）。前記開閉部５ａは、開封時においてミシン目ａが破断して開閉可能となり、定着部５ｂは、正面板４の表面に定着する際に接着されており、開封時にあっても正面板４の表面に留まる（図１（Ａ）（Ｂ）参照）。
【００２２】
前記天板１と左右側板６，６との境界中央部にはミシン面ｂが刻まれ、当該天板１と前記封止板５との境界中央部、及び当該天板１と背面板２との境界中央部には、脆弱線（ピッチが比較的細かい）ｃが刻まれている（図２（Ｂ）参照）。ここで、脆弱線とは、断続的に表裏貫通した切込みや非貫通の切込み等、連結を維持しながら折り曲げ時又は分断時の便宜となり得る脆弱さが意図的に与えられた線である。
【００２３】
前記天板１は、前記封止板５に刻まれたミシン目ａの左右両端から左右対照的に延びるミシン目ｄを備え、当該ミシン目ｄは、前記天板１と側板６との境界中央部に刻まれたミシン目ｂの前端に連なり、当該境界中央部の後端から前記天板１と背面板との境界中央部に刻まれた脆弱線ｃの最寄りの端に連なるミシン目ｅを備える。
これら前記天板１及び封止板５に刻まれたミシン目ａ，ｄ，ｂ，ｅ（以下、開封線と記す。）の存在により、開封時において、蓋の中央部（以下、開封部Ａと記す。）がその周縁部Ｂと分離して開閉が行われることとなる。
【００２４】
前記背面板２及び正面板４は、それぞれ方形状であり、その左右側方に各々連なり、箱本体Ｘの側面を左右から閉鎖し、且つ前記側板６及び下記縦閉鎖片８を裏支えする横閉鎖片９を備える（図８参照）。
この例における正面板４は、前記背面板２と同寸法同形状であり、特に正面板４は、その中央部に、前記引き出しリップ７を挿入するための切込み４ａを備える（図１（Ｃ）参照）。
【００２５】
この正面板４と左右横閉鎖片９，９との境界、及び当該正面板４と後記正面吊板１０との境界は、それぞれ折り曲げ等の便宜として脆弱線（前者にあっては中程度のピッチ、後者にあっては比較的大きなピッチ）ｆを備える（図２参照）。
【００２６】
前記底板３は、前記蓋の天板１と同寸法同形状の方形状であり、その左右側方に各々連なり、箱本体Ｘの側方を下方から閉鎖し、且つ前記側板６を裏支えする縦閉鎖片８を備える（図２参照）。
この例における底板３と前記前記縦閉鎖片８との境に、廃棄の際に、前記正面板４及び背面板２における側方の脆弱線ｇと相俟って箱本体Ｘの側方閉鎖面を分断する脆弱線ｈを備える（以下、これらを解体線と記す。）。当該例において前記底板３と前記前記縦閉鎖片８との境に設けた脆弱線ｈは、奥行き方向の中央部に指先を押し入れ易くすべく、指先の形状を模した内向きの膨出部ｉを備える。
【００２７】
当該例における側方閉鎖面は、前記側板６、横閉鎖片９，９、及び縦閉鎖片８とで構成される。
即ち、２枚の横閉鎖片９，９で箱本体Ｘの側方開口部の大部分を封じ、更に、当該開口部と略等しい幅の縦閉鎖片８を重ね、最後に、当該開口部と略等しい寸法の前記側板６で、箱本体の左右側方開口部を封鎖する（図７及び図８参照）。
この例では以上の如く構成したが、前記側方閉鎖面の構成は、収容する容器の態様や個数に応じて適宜変更し得るものである。
【００２８】
＜支持体＞
前記支持体Ｙは、前記箱本体Ｘの正面板４の上端から当該箱本体Ｘの内側へ垂下する正面吊板１０と、当該正面吊板１０の下端から背面板２に至る上仕切１１と、当該上仕切１１の先端から下方へ屈曲する背面吊板１２と、当該背面吊板１２の先端から正面板４に至る台板１３と、当該台板１３の先端から上方へ屈曲する正面突っ張り板１４と、当該正面突っ張り板１４の先端から背面板２に至る下仕切１５と、当該下仕切１５の先端から下方（上方でも良い）へ屈曲する背面突っ張り板１６を一列に連結して備える（図２（Ｂ）参照）。
【００２９】
前記正面吊板１２は、前記正面板４と略同じ幅の方形状を呈し、その先端中央部に、前記引き出しリップ７を前記正面板４の切り込み４ａに差し入れる際の抵抗を抑制する矩形状の切欠き部１０ａを備える（図２（Ｂ）参照）。
前記上仕切１１は、前記正面吊板１０と略同じ幅を有し、この例においては、縦横に２個×５列の鍵穴状の支持孔１１ａを備える。前記切欠き部１０ａは、基部側中央の支持孔１１ａと連続する。
【００３０】
前記背面吊板１２は、前記上仕切１１と同じ幅の方形状を呈し、前記正面吊板１０と前記背面吊板１２の長さの和を、前記正面板４及び背面板２の深さよりも短くし、当該背面吊板１２に略同じ幅で続く前記台板１３の位置が、前記箱本体Ｘの前記底板３の上位に位置する様に設定する。
【００３１】
前記台板１３は、左右側縁にその全幅に亘るくびれ１３ａを、容器Ｚの底を支える領域に至らない範囲で備える。このくびれ１３ａの存在により、当該台板１３の自由な動きによる緩衝効果の担保、及び廃棄時における解体の際の便宜となる。
【００３２】
前記正面突っ張り板１４は、前記上仕切１１と同じ幅の方形状を呈し、その先端から同じ幅の方形状を呈して連なる下仕切１５は、前記上仕切１１と同様にその支持孔１１ａと対面する支持孔１５ａを各々備え、その先端中央部に、前記引き出しリップ７を前記正面板４の切り込みに差し入れる際の抵抗を抑制する円弧状の切欠き部１４ａを基部側中央の支持孔１５ａと連続する形で備える（図２（Ｂ）参照）。
尚、各支持孔１１ａ，１５ａは、容器Ｚの胴部の上下二か所を大きなブレが生じることなく、且つ容器Ｚを装填する際に高度な精度を要求されることのない形状及びサイズとする。
【００３３】
更に、その下仕切１５に同じ幅で連なる背面突っ張り板６は、前記背面吊板１２における裏面の、前記下仕切１５を水平に支持し得る位置に接着する。
前記正面突っ張り板１４及び背面突っ張り板１６の長さは、前記背面吊板１２の長さよりも充分に短くする必要がある。
当該例では、前記正面突っ張り板１４及び背面突っ張り板１６の長さを、前記背面吊板１２の長さの半分としたが、前記背面突っ張り板１６を上方へ屈曲させる場合は、前記正面突っ張り板１４の長さと背面突っ張り板１６の長さの和を、前記背面吊板１２の長さよりも短くする必要がある。
【００３４】
この例では、前記支持体Ｙを構成する正面吊板１０、上仕切１１、背面吊板１２、台板１３、正面吊板１４、下仕切１５、及び背面突っ張り板１６それぞれの境界線は、各々比較的ピッチの大きい脆弱線ｊを各々の全幅に亘って備える。
【００３５】
尚、この例において、前記箱本体Ｘ及び支持体Ｙに備える脆弱線ｆ，ｇ，ｈは、断続的な非貫通の切込みを、折り曲げる際の山側に断続的に刻んだものである。
【００３６】
＜展開シート（加工なし）＞
上記包装用箱は、前記箱本体Ｘの構成要素（側方閉鎖面を構成する要素を除く）と、前記支持体Ｙの構成要素（側方閉鎖面を構成する要素を除く）を一列に連結した一連の展開シートを組み立ててなる。
【００３７】
前記箱本体Ｘとなる部分は、前記天板１、背面板２、底板３、及び正面板４を一列に連結して備える。
この例では、前記天板１の左右側縁に連なる側板６，６と、前記正面板４及び背面板２の左右側縁に連なる横閉鎖片９，９と、前記底板３の左右側縁に連なる縦閉鎖片８を備える。
【００３８】
前記支持体Ｙとなる部分は、前記正面板４の上端に連なる正面吊板１０と、当該正面吊板１０の下端に連なる下仕切１５と、当該下仕切１５の先端に連なる背面吊板１２と、当該背面吊板１２の先端に連なる台板１３と、当該台板１３の先端に連なる正面突っ張り板１４と、当該正面突っ張り板１４の先端に連なる前記上仕切１１と、当該上仕切１１の先端に連なる背面突っ張り板１６を一列に連結して備える。
【００３９】
この例では、前記の如く、前記蓋の開封線となるミシン目ａ，ｄ，ｂ，ｅと、前記解体線となる比較的ピッチの小さい脆弱線ｇ，ｈを備える。
又、箱本体Ｘとなる部分は、前記開封部Ａにおける天板１と封止板５及び背面板２との境界に比較的ピッチの小さい脆弱線ｃを備えると共に、前記背面板２と左右横閉鎖片９，９との境界、及び前記正面板４と左右横閉鎖片９，９との境界に、中程度のピッチの脆弱線ｇを備え、前記支持体Ｙにあっては、一列に連結した前記正面板４、正面吊板部１０、上仕切１１、背面吊板１２、台板１３、正面突っ張り板１４、下仕切１５、及び背面突っ張り板１６、各々の境界に、比較的ピッチの大きい脆弱線ｊをそれぞれの全幅に亘って備える。
【００４０】
この例における展開シートは厚紙を用いていることから、前記正面板４及び背面板２を立ち上げた際の、前記正面突っ張り板１４、背面突っ張り板１６、及び背面吊板１２の立ち上がりが不十分である場合には、前記支持体Ｙの組み上がり形態にバラツキが生じ容器Ｚの装填や支持が困難となる場合がある。
前記脆弱線ｊの付設は、この様な弊害を回避し前記支持体Ｙの成形上の便宜を図り、組み上がり形態の安定化等に資するものである。
【００４１】
尚、前記台板１３は、前記正面突っ張り板１４又は背面吊板１６との境界から内側に突出した切込み（図示省略）を以って、前記台板１３と底板３とのクリアランスを、正面板４又は背面板２から正面吊板１０及び背面吊板１２の長さを差し引いた寸法に維持する脚部（図示省略）を設けても良い（例えば、特願２０１２−０６４７３１号参照。）。
【００４２】
その際、前記正面突っ張り板１４又は背面吊板１２と前記脚部との間で屈曲が生じない様に折り曲げ線や切込みを設けることなく、一連の領域として設定する。そうすることにより、前記脚部は、前記台板１３と前記正面突っ張り板１４又は背面吊板１２との境界を支点とした折り曲げ作業（組み上げ作業）に伴い、当該支点を境として反対側に離脱して立ち上がり、収容した容器Ｚを下支えする前記台板１３の高床式構造を担保する脚部としての機能を果たすこととなる。
【００４３】
＜展開シート（下加工あり）＞
前記展開シートは、容器を装填する工程での便宜を図るべく、予め所定の下加工を施した展開シートとすることも可能である。
前記下加工とは、例えば、当該例は、前記正面吊板１０と正面板４との境界で折り曲げ当該正面吊板１０と正面板４を接着する工程（図３参照）と、前記台板１３と正面突っ張り板１４との境界で折り曲げ背面突っ張り板１６を背面吊板１２の裏面に接着する工程（図４参照）と、前記背面吊板１２と台板１３との境界を曲げ、前記台板１３と正面突っ張り板１４との境界での折り曲げを解きつつ前記正面突っ張り板１４と下仕切１５との境界を曲げる工程（図５参照）を経るものである。
【００４４】
＜組立工程について＞
以上、下加工を経た展開シートに対し、加工され扁平に折り畳まれた支持体Ｙを内側にして、前記正面板４及び背面板２を起立させ（図６及び図７（Ａ）（Ｂ）参照。）、前記正面板４、底板３、背面板２、及び天板１を断面四角形の筒状に成形すると、それに伴って、前記支持体Ｙがポップアップ的に立体形状に組み上がり、前記支持孔を有する支持体が形成されることとなる（図７参照）。その後、更に前記の如く、横閉鎖片９，９で箱本体Ｘの側方開口部の大部分を封じ、その上に当該開口部と略等しい幅の縦閉鎖片８を重ね、最後に、当該開口部と略等しい寸法の前記側板６で、箱本体の左右側方開口部を封鎖する（図７（Ｃ）（Ｄ）（Ｅ）（Ｆ）及び図８参照）ことによって、六面が閉鎖された直方体の包装用箱が組み上がる。
【符号の説明】
【００４５】
１  天板，２  背面板，３  底板，
４  正面板，４ａ  切込み，
５  封止板，５ａ  開閉部，５ｂ  定着部，
６  側板，７  引き出しリップ，
８  縦閉鎖片，９  横閉鎖片，
１０  正面吊板，１０ａ  切欠き部，
１１  上仕切，１１ａ  支持孔，
１２  背面吊板，
１３  台板，１３ａ  くびれ，
１４  正面突っ張り板，１４ａ  切欠き部，
１５  下仕切，１５ａ  支持孔，
１６  背面突っ張り板，
Ａ  開封部，Ｂ  周縁部，
Ｘ  箱本体，Ｙ  支持体，Ｚ  容器，
ａ  ミシン目（封止板）， 
ｂ  ミシン目（天板中央），ｄ  ミシン目（天板表），ｅ  ミシン目（天板裏）
ｃ  脆弱線（天板表裏），ｆ  脆弱部（箱本体−支持体間），ｇ  脆弱線（側面），
ｈ  脆弱線（底板），ｉ  膨出部，ｊ  脆弱部（支持体），
【図１】
2014136581.tif 000003
【図２】
2014136581.tif 000004
【図３】
2014136581.tif 000005
【図４】
2014136581.tif 000006
【図５】
2014136581.tif 000007
【図６】
2014136581.tif 000008
【図７】
2014136581.tif 000009
【図８】
2014136581.tif 000010